(57)【特許請求の範囲】
【請求項１】
マット本体内部に、複数のエアーバッグと各エアーバッグにエアーを給排気するエアー給排気装置と該エアー給排気装置と各エアーバッグとが連通するよう接続するエアーホースとを一体的に収納したエアーマッサージ装置において、
前記各エアーバッグの上部に少なくとも１以上の施療用突起を配備させると共に、これら各エアーバッグとエアー給排気装置及びエアーホースの上面に、これらと施療部との接触を阻止し得る膨縮自在な保護マットを配設して構成し、
前記保護マットのエアーを抜縮させた状態では、前記施療用突起を備える前記エアーバッグによるマッサージが行われ、前記保護マットを膨張させた場合には、前記エアーバッグの施療用突起と施療部との当接を阻止するように構成されている、マット型エアーマッサージ装置。
【請求項２】
前記保護マットを膨縮させ得るエアー膨縮装置をマット本体内部に収納して構成した事を特徴とする請求項１記載のマット型エアーマッサージ装置。
【請求項３】
前記保護マットが複数のエアー筒状部材を連通状に併設した保護マットである事を特徴とする請求項１または請求項２記載のマット型エアーマッサージ装置。
【請求項４】
前記マット本体には、前記保護マットを保持し得る複数の支持部材を配設してある事を特徴とする請求項１乃至請求項３のいずれか１項に記載のマット型エアーマッサージ装置。
【発明の詳細な説明】
【０００１】
【発明の属する技術分野】
本発明は、エアーの給排気によって膨縮する複数のエアーバッグによって施療部をマッサージするようにするマット型エアーマッサージ装置に関するものである。
【０００２】
【従来の技術】
従来のマット型マッサージ装置としては、マットの内部にモータ等の駆動機構によりマッサージ用ローラを往復動させるようにした機械式マッサージ装置を内装したものがあり、このマッサージ用ローラが施療部に当接しながら往復動する事で施療部に物理的なマッサージ効果を付与するようにしたものがあった。
【０００３】
しかし、このような従来のマット型マッサージ装置では、内部に重量物でしかも硬性な材料で製作されたマッサージ機構を内装しているため、全体重量が重く運搬に不便であると共に、外形状も内部のマッサージ装置の形状に影響されるという問題が有った。
【０００４】
近年では、このような従来の問題点を解決すべく、マット部に複数のエアーバッグを配設して、エアー給排気装置で各エアーバッグに順次エアーを給排気するようにしたマット型エアーマッサージ装置が開発されており、これらは既に周知になっている。
【０００５】
すなわち、これらのものは、上記したように従来の機械式のマット型マッサージ機装置に比べて、全体重量が軽量でどのような形状のものにも内装できると共に、折り畳み可能で持ち運び容易で有り、しかも、首部・肩部・背中部・腰部の他、臀部・尻部・大腿部や足のふくらはぎ部等に亘る広域範囲を、これらに対応するよう任意に配設されたエアーバッグを適宜に膨縮させることで、施療部を快適にマッサージできるという利点がある。
【０００６】
【発明が解決しようとする課題】
しかし、この種従来のマット型エアーマッサージ装置にあっては、複数のエアーバッグを順次膨縮させて施療部をマッサージするのであるが、これらのエアーバッグのみでは、エアーの膨縮のみで施療部を押圧するものである為にマッサージ効果が弱く、満足感が得られないという問題を有するものであった。
【０００７】
本発明は、上記のような問題点に鑑みてなされたものであり、施療部に対する満足できるマッサージ効果を付与すべく、複数のエアーバッグの上部に施療用突起を配備させて、従来にない効果的な指圧マッサージ効果が得られるようにしたマット型エアーマッサージ装置を提供する事を目的として成されたものである。
【０００８】
また本発明は、エアーバッグ上面を覆い得る膨縮自在な保護マットを設け、必要に応じて複数のエアーバッグの施療用突起と施療部との当接を阻止して、施療を要さない場合のマットとして違和感なく使用できるようにしたマット型エアーマッサージ装置を提供する事を目的とする。
【０００９】
更に本発明は、マット本体内部に複数のエアーバッグとこれら各エアーバッグにエアーホースを介してエアーを給排気するエアー給排気装置と、保護マットを膨縮し得るエアー膨縮装置一体的に収納し、移動や運搬時には持ち運びが容易なコンパクトな大きさに折り畳み可能で、省スペース且つ軽量なマット型エアーマッサージ装置を提供する事を目的とするものである。
【００１０】
【課題を解決するための手段】
すなわち、請求項１記載の本発明のマット型エアーマッサージ装置は、マット本体内部に、複数のエアーバッグと各エアーバッグにエアーを給排気するエアー給排気装置と該エアー給排気装置と各エアーバッグとが連通するよう接続するエアーホースとを一体的に収納したエアーマッサージ装置において、前記各エアーバッグの上部に少なくとも１以上の施療用突起を配備させると共に、これら各エアーバッグとエアー給排気装置及びエアーホースの上面に、これらと施療部との接触を阻止し得る膨縮自在な保護マットを配設して構成し、前記保護マットのエアーを抜縮させた状態では、前記施療用突起を備える前記エアーバッグによるマッサージが行われ、前記保護マットを膨張させた場合には、前記エアーバッグの施療用突起と施療部との当接を阻止するように構成されている。
【００１１】
また、請求項２記載の本発明のマット型エアーマッサージ装置は、前記保護マットを膨縮させ得るエアー膨縮装置をマット本体内部に収納して構成した事を特徴とするものである。
【００１２】
更に、請求項３記載の本発明のマット型エアーマッサージ装置は、前記保護マットが複数のエアー筒状部材を連通状に併設した保護マットである事を特徴とするものである。
【００１３】
更にまた、請求項４記載の本発明のマット型エアーマッサージ装置は、前記マット本体に前記保護マットを保持し得る複数の支持部材を配設してある事を特徴とするものである。
【００１４】
【作  用】
本発明のマット型エアーマッサージ装置は、上記のように構成する事により、次のような作用をもたらすものである。
すなわち、請求項１記載の本発明のマット型エアーマッサージ装置では、マット本体内部に、複数のエアーバッグと各エアーバッグにエアーを給排気するエアー給排気装置と該エアー給排気装置と各エアーバッグとが連通するよう接続するエアーホースとを一体的に収納し、各エアーバッグの上部に少なくとも１以上の施療用突起を配備させると共に、これら各エアーバッグとエアー給排気装置及びエアーホースの上面にこれらと施療部との接触を阻止し得る膨縮自在な保護マットを配設して構成している為、省スペース化を図る事ができると共に移動や運搬時には持ち運びが容易なコンパクトな大きさに折り畳み可能であり、しかも施療に際しては、施療用突起による満足感のある指圧マッサージが行え、施療を要さない場合には複数のエアーバッグの施療用突起と施療部との当接を阻止して、通常のマットとして違和感なく使用できる。
【００１５】
また、請求項２記載の本発明のマット型エアーマッサージ装置は、前記保護マットを膨縮させ得るエアー膨縮装置をマット本体内部に収納して構成している為に、これにおいても省スペース化に役立つものである。
【００１６】
更に、請求項３記載の本発明のマット型エアーマッサージ装置は、前記保護マットが複数のエアー筒状部材を連通状に併設した保護マットにしている為、施療部に対応できる適度な有クッション性のマットとして使用できると共に、保護マットの耐久性を向上させる事ができる。
【００１７】
更にまた、請求項４記載の本発明のマット型エアーマッサージ装置は、前記マット本体に前記保護マットを保持し得る複数の支持部材を配設してある為、マット本体内部に収納された各エアーバッグとエアー給排気装置及びエアーホース或いはエアー膨縮装置に、保護マット上の重量による損傷や衝撃に影響されない構造となる。
【００１８】
【発明の実施の形態】
以下、本発明に係るマット型エアーマッサージ装置を図面に示す一実施例に基づき、これを詳細に説明する。
図１乃至図４は本発明のマット型エアーマッサージ装置の各実施例を示す斜視図であり、図５、図８、図１１は本発明のマット型エアーマッサージ装置の内部機構を示す説明図であり、図６及び図７は本発明のマット型エアーマッサージ装置の使用状態を示す説明図であり、図９及び図１０は本発明のマット型エアーマッサージ装置を折畳む状態を示す説明図である。
【００１９】
本発明のマット型エアーマッサージ装置は、各図面に示したように、マット本体１内部に、複数のエアーバッグＡ・・と各エアーバッグＡ・・にエアーを給排気するエアー給排気装置２と該エアー給排気装置２と各エアーバッグＡ・・とが連通するよう接続するエアーホース３とを一体的に収納したエアーマッサージ装置である。
【００２０】
すなわち、本発明のものは、図５乃至図８及び図１１に示したように、このエアーマッサージ装置の前記各エアーバッグＡ・・の上部に少なくとも１以上の施療用突起aを配備させると共に、これら各エアーバッグＡ・・とエアー給排気装置２及びエアーホース３の上面に、これらと施療部との接触を阻止し得る膨縮自在な保護マット４を配設して構成したものである。
【００２１】
前記マット本体１には、マット本体１内部の長手方向一端に前記エアー給排気装置２を内装しており、該エアー給排気装置２のエアー給排によりエアーホース３を介して膨縮する複数のエアーバッグＡ・・をマット本体１の長手方向に順次並列状に内設したものを例示している。
【００２２】
更に前記マット本体１には、図５・図６及び図７に示したように前記保護マット４を保持し得る複数の支持部材１１を配設しており、該支持部材１１により前記保護マット４を安定保持させる事ができるようにしている。
【００２３】
前記複数のエアーバッグＡ・・は、図５に示した実施例では前記マット本体１の内部に８個配設したものを例示し、図８の実施例では６個配設したものを例示し、図１１の実施例では７個配設したものを夫々例示しており、各エアーバッグＡ・・は、首部・肩部・背中部・腰部・臀部・大腿部・ふくらはぎ部、及び足首部の各部に対応するよう順次任意に並べて配備させている。
【００２４】
また、前記任意のエアーバッグＡの上部には、少なくとも１以上の施療用突起aを配備させて、エアーバッグＡの膨縮による押圧効果を強調させる事ができるようにしている。
【００２５】
前記エアー給排気装置２は、図示していないが、内部にエアーコンプレッサーと該エアーコンプレッサーから供給されるエアーを、前記エアーホース３を介して前記各エアーバッグＡ・・に所定の順序で分配して供給するロータリーバルブよりなる分配器等で構成されており、該エアー給排気装置２は、前述したようにマット本体１の長手方向一端内部に収納されているのである。
【００２６】
前記エアーホース３は、前記エアー給排気装置２と前記各エアーバッグＡ・・とが連通するよう接続されて、エアー給排気装置２からのエアーを各エアーバッグＡ・・に所定の順序で順次供給或いは排気させる事ができるように前記マット本体１に内装されている。
【００２７】
尚、前記エアー給排気装置２の給排速度や給排量及び各エアーバッグＡ・・の選択特定或いは給排順序は、マイクロコンピュータ等の制御機構によりコンロールする事ができる。
【００２８】
前記保護マット４は、各エアーバッグＡ・・とエアー給排気装置２及びエアーホース３の上面に膨縮自在に配設されたものであり、該保護マット４により、これらと施療部との接触を阻止し得るようにしている。
【００２９】
前記保護マット４は、これを膨縮させ得るよう前記マット本体１内部に収納された前記エアー膨縮装置２にエアーホース４１を介して連通されており、必要に応じてこの保護マット４を膨縮して、保護マット４のエアーを抜縮させた状態では、各エアーバッグＡ・・や施療用突起ａを備えた各エアーバッグＡ・・による満足感のある指圧マッサージが行え、保護マット４を膨張させた場合には、複数のエアーバッグＡ・・やこのエアーバッグＡ・・の施療用突起ａと施療部との当接を阻止して、通常のマットとして違和感なく使用できるのである。
【００３０】
また前記保護マット４は、図面に示したように複数のエアー筒状部材４Ａ・・を連通状に併設した保護マット４である事が好ましく、前記エアー膨縮装置２のエアーコンプレッサーから供給するエアーを、分配器を介してエアーホース４１を介して所定の順序で分配するように構成する事で、前記複数のエアー筒状部材４Ａ・・に順次波状の膨縮を行なわせる事ができ、また、前記エアー膨縮装置２のエアーコンプレッサーから供給するエアー量を適宜に調整する事で、分配器を介してエアーホース４１を介して所定の順序で分配するように構成する事で、保護マット４の弾性力を任意に調整する事ができるのである。
【００３１】
更に前記保護マット４には、図３及び図４に示したように長手方向一端に枕袋４２を配設しても良く、これにより施療者の頭部を安定保持させる事ができる。
【００３２】
図８に示した本発明のマット型エアーマッサージ装置は、前記マット本体１の中央に蝶番等の開閉部材１２を介設して、マット本体１を折曲自在にしたものを例示しており、これにより、保護マット４のエアーを抜縮させた状態で、図９及び図１０に示したようにマット型エアーマッサージ装置自体を折畳んで縮小させた収納を可能にしているのである。
【００３３】
図１１に示した本発明のマット型エアーマッサージ装置は、前述した各機能を全て含有させたものを例示しており、複数のエアーバッグＡ・・と各エアーバッグＡ・・にエアーを給排気するエアー給排気装置２と該エアー給排気装置２と各エアーバッグＡ・・とが連通するよう接続するエアーホース３とをマット本体１内部に一体的に収納し、前記各エアーバッグＡ・・の上部に少なくとも１以上の施療用突起aを配備させると共に、これら各エアーバッグＡ・・とエアー給排気装置２及びエアーホース３の上面にこれらと施療部との接触を阻止し得る複数のエアー筒状部材４Ａ・・を連通状に併設し、この長手方向一端に枕袋４２を配設した膨縮自在な保護マット４を配設して、前記マット本体１両側には、前記保護マット４を保持し得る複数の支持部材１１を配設して構成したものを例示している。
【００３４】
【発明の効果】
よって、本発明によれば、マット本体内部に、複数のエアーバッグ及びこれにエアーを給排気させるエアー給排気装置やこれと各エアーバッグとが連通するよう接続するエアーホースを一体的に収納している為、省スペース化を図る事ができると共に、移動や運搬時には持ち運びが容易であり、しかも前記エアーバッグ及びこれにエアーを給排気させるエアー給排気装置やこれと各エアーバッグとが連通するよう接続するエアーホースの上面には、膨縮自在な保護マットを配設している為、施療を行う場合には保護マットのエアーを抜縮させて使用する事で施療用突起及びエアーバッグによる満足感のある指圧マッサージが行え、施療を要さない場合には保護マットにエアーを適宜に供給させてこれを膨張させ、複数のエアーバッグの施療用突起と施療部との当接を阻止して通常のマットとして違和感なく使用できるものである。
【図面の簡単な説明】
【図１】本発明のマット型エアーマッサージ装置の一実施例を示す斜視図である。
【図２】本発明のマット型エアーマッサージ装置の一実施例を示す斜視図である。
【図３】本発明のマット型エアーマッサージ装置の一実施例を示す斜視図である。
【図４】本発明のマット型エアーマッサージ装置の一実施例を示す斜視図である。
【図５】本発明のマット型エアーマッサージ装置の内部機構を示す説明図である。
【図６】本発明のマット型エアーマッサージ装置の使用状態を示す説明図である。
【図７】本発明のマット型エアーマッサージ装置の使用状態を示す説明図である。
【図８】本発明のマット型エアーマッサージ装置の内部機構を示す説明図である。
【図９】本発明のマット型エアーマッサージ装置を折畳む状態を示す説明図である。
【図１０】本発明のマット型エアーマッサージ装置を折畳む状態を示す説明図である。
【図１１】本発明のマット型エアーマッサージ装置の内部機構を示す説明図である。
【符号の説明】
１    マット本体
１１    支持部材
Ａ    エアーバッグ
ａ    施療用突起
２    エアー給排気装置
３    エアーホース
４    保護マット
４１    エアーホース
４Ａ    エアー筒状部材
【図１】
0004864236.tif 000002
【図２】
0004864236.tif 000003
【図３】
0004864236.tif 000004
【図４】
0004864236.tif 000005
【図５】
0004864236.tif 000006
【図６】
0004864236.tif 000007
【図７】
0004864236.tif 000008
【図８】
0004864236.tif 000009
【図９】
0004864236.tif 000010
【図１０】
0004864236.tif 000011
【図１１】
0004864236.tif 000012